(57)【要約】【課題】  異なる表示形態を有する場合であっても、それぞれの表示形態における操作性を向上させ、適切なメニュー形態を提示可能とする。【解決手段】  蓋部２が開けられ、縦位置にある場合には、ＲＡＭ２４から通常モード用のアイコンデータ２４１を読み出して、縦位置の表示部６にメニュー画面を表示する通常モードとする。一方、第１ヒンジ部１００および第２ヒンジ部１２が回転され、横位置にある場合には、ＲＡＭ２４からビューワモード用のアイコンデータ２４２を読み出して、横位置の表示部２５にメニュー画面を表示するビューワモードに切り替える。【選択図】  図４
2006080878.tif 000002
【特許請求の範囲】
【請求項１】
異なる縦横比を有する表示手段が配設された第１の筐体部と、前記第１の筐体部に対しヒンジ部を介して回転自在に結合された第２の筐体部とからなる電子機器において、
前記表示手段を縦長表示位置で用いる場合に表示すべき第１のメニュー情報と、前記表示手段を横長表示位置で用いる場合に表示すべき第２のメニュー情報とを記憶する記憶手段と、
前記第１の筐体部と前記第２の筐体部との相対的な位置関係に基づいて、前記表示手段が縦長表示位置にあるか横長表示位置にあるかを検知する検知手段と、
前記検知手段により前記表示手段が縦長表示位置にあると検知されると、前記記憶手段から前記第１のメニュー情報を読み出して表示し、前記検知手段により前記表示手段が横長表示位置にあると検知されると、前記記憶手段から前記第２のメニュー情報を読み出して表示する表示制御手段と
を具備することを特徴とする電子機器。
【請求項２】
前記検知手段は、前記第１の筐体部が前記ヒンジ部を介して前記第２の筐体部に重なり合う方向に回動されることで、前記表示手段が横長表示位置にあると検知することを特徴とする請求項１記載の電子機器。
【請求項３】
前記第１のメニュー情報は、縦長表示位置で実行可能な機能に特化した複数の項目を含み、前記第２のメニュー情報は、横長表示位置で実行可能な機能に特化した複数の項目を含むことを特徴とする請求項１または２に記載の電子機器。
【請求項４】
異なる縦横比を有する表示手段が配設された第１の筐体部と、前記第１の筐体部に対しヒンジ部を介して回転自在に結合された第２の筐体部とからなる電子機器の表示方法であって、
前記表示手段が縦長表示位置である場合に実行可能な機能に特化した複数の項目を含む第１のメニュー情報と、前記表示手段が横長表示位置である場合に実行可能な機能に特化した複数の項目を含む第２のメニュー情報とを記憶しておき、
前記第１の筐体部と前記第２の筐体部との相対的な位置関係に基づいて、前記表示手段が縦長表示位置にあるか横長表示位置にあるかを検知し、
前記表示手段が縦長表示位置にあると検知されると、前記第１のメニュー情報を読み出して表示し、前記表示手段が横長表示位置にあると検知されると、前記第２のメニュー情報を読み出して表示することを特徴とする電子機器の表示方法。
【請求項５】
異なる縦横比を有する表示手段が配設された第１の筐体部と、前記第１の筐体部に対しヒンジ部を介して回転自在に結合された第２の筐体部とからなる電子機器の表示プログラムであって、
前記第１の筐体部と前記第２の筐体部との相対的な位置関係に基づいて、前記表示手段が縦長表示位置にあるか横長表示位置にあるかを検知するステップと、
前記表示手段が縦長表示位置にあると検知されると、前記表示手段が縦長表示位置である場合に実行可能な機能に特化した複数の項目を含む第１のメニュー情報を読み出して表示するステップと、
前記表示手段が横長表示位置にあると検知されると、前記表示手段が横長表示位置である場合に実行可能な機能に特化した複数の項目を含む第２のメニュー情報を読み出して表示するステップと
をコンピュータに実行させることを特徴とする電子機器の表示プログラム。
【発明の詳細な説明】
【技術分野】
【０００１】
本発明は、電子機器、表示方法および表示プログラムに関する。
【背景技術】
【０００２】
近年、携帯電話や携帯情報端末などの電子機器においては、各種機能が搭載されており、ユーザは、メニュー画面より所望する機能を選択して実行するようになっている。メニュー画面には、格子状に配置したアイコンメニューや、複数行に並んだリストメニューが用いられ、十字カーソルキーなどにより４方向にカーソルを移動させて上記メニューから機能が選択される。
【０００３】
また、上述した電子機器、特に、携帯電話は、例えば、異なる縦横比を有する表示部を備えており、電子機器を把持した状態で表示部を縦長とした状態で使用するモードと横長とした状態で使用するモードとを備えるものも提案されている（例えば特許文献１）。この場合、表示部が配置されている筐体の一部（蓋部）を、２軸ヒンジ機構やスライド機構により回転させて、横長とした状態で使用することを実現している。
【特許文献１】特開２００３−１７４４９５号公報
【発明の開示】
【発明が解決しようとする課題】
【０００４】
しかしながら、例えば上記特許文献１においては、表示部が配置されている筐体の一部がフロント面のキー入力部を覆う形態（ビュースタイル）の場合、その状態に適応した表示形態行うことについては開示されているものの、ユーザの使用勝手を考慮したメニュー表示については考慮されていない。したがって、ユーザは見たい情報がある場合、縦長表示の状態からキーを操作して所望の情報を表示させ、再びビュースタイルにするか、憶測でサイドキーを操作することで所望の情報を表示させなければいけないという問題があった。
【０００５】
そこで本発明は、異なる表示位置を有する場合であっても、それぞれの表示位置における操作性を向上させることができ、また、それぞれの表示位置での使用に適切なメニュー形態を提示することができる電子機器、表示方法および表示プログラムを提供することを目的とする。
【課題を解決するための手段】
【０００６】
上記目的達成のため、請求項１記載の発明による電子機器は、異なる縦横比を有する表示手段が配設された第１の筐体部と、前記第１の筐体部に対しヒンジ部を介して回転自在に結合された第２の筐体部とからなる電子機器において、前記表示手段を縦長表示位置で用いる場合に表示すべき第１のメニュー情報と、前記表示手段を横長表示位置で用いる場合に表示すべき第２のメニュー情報とを記憶する記憶手段と、前記第１の筐体部と前記第２の筐体部との相対的な位置関係に基づいて、前記表示手段が縦長表示位置にあるか横長表示位置にあるかを検知する検知手段と、前記検知手段により前記表示手段が縦長表示位置にあると検知されると、前記記憶手段から前記第１のメニュー情報を読み出して表示し、前記検知手段により前記表示手段が横長表示位置にあると検知されると、前記記憶手段から前記第２のメニュー情報を読み出して表示する表示制御手段とを具備することを特徴とする。
【０００７】
また、好ましい態様として、例えば請求項２記載のように、請求項１記載の電子機器において、前記検知手段は、前記第１の筐体部が前記ヒンジ部を介して前記第２の筐体部に重なり合う方向に回動されることで、前記表示手段が横長表示位置にあると検知するようにしてもよい。
【０００８】
また、好ましい態様として、例えば請求項３記載のように、請求項１または２に記載の電子機器において、前記第１のメニュー情報は、縦長表示位置で実行可能な機能に特化した複数の項目を含み、前記第２のメニュー情報は、横長表示位置で実行可能な機能に特化した複数の項目を含むようにしてもよい。
【０００９】
また、上記目的達成のため、請求項４記載の発明による電子機器の表示方法は、異なる縦横比を有する表示手段が配設された第１の筐体部と、前記第１の筐体部に対しヒンジ部を介して回転自在に結合された第２の筐体部とからなる電子機器の表示方法であって、前記表示手段が縦長表示位置である場合に実行可能な機能に特化した複数の項目を含む第１のメニュー情報と、前記表示手段が横長表示位置である場合に実行可能な機能に特化した複数の項目を含む第２のメニュー情報とを記憶しておき、前記第１の筐体部と前記第２の筐体部との相対的な位置関係に基づいて、前記表示手段が縦長表示位置にあるか横長表示位置にあるかを検知し、前記表示手段が縦長表示位置にあると検知されると、前記第１のメニュー情報を読み出して表示し、前記表示手段が横長表示位置にあると検知されると、前記第２のメニュー情報を読み出して表示することを特徴とする。
【００１０】
また、上記目的達成のため、請求項５記載の発明による電子機器の表示プログラムは、異なる縦横比を有する表示手段が配設された第１の筐体部と、前記第１の筐体部に対しヒンジ部を介して回転自在に結合された第２の筐体部とからなる電子機器の表示プログラムであって、前記第１の筐体部と前記第２の筐体部との相対的な位置関係に基づいて、前記表示手段が縦長表示位置にあるか横長表示位置にあるかを検知するステップと、前記表示手段が縦長表示位置にあると検知されると、前記表示手段が縦長表示位置である場合に実行可能な機能に特化した複数の項目を含む第１のメニュー情報を読み出して表示するステップと、前記表示手段が横長表示位置にあると検知されると、前記表示手段が横長表示位置である場合に実行可能な機能に特化した複数の項目を含む第２のメニュー情報を読み出して表示するステップとをコンピュータに実行させることを特徴とする。
【発明の効果】
【００１１】
請求項１記載の発明によれば、前記表示手段を縦長表示位置で用いる場合に表示すべき第１のメニュー情報と、前記表示手段を横長表示位置で用いる場合に表示すべき第２のメニュー情報とを記憶手段に記憶しておき、検知手段により、前記第１の筐体部と前記第２の筐体部との相対的な位置関係に基づいて、前記表示手段が縦長表示位置にあるか横長表示位置にあるかを検知し、表示制御手段により、前記検知手段により前記表示手段が縦長表示位置にあると検知されると、前記記憶手段から前記第１のメニュー情報を読み出して表示し、前記検知手段により前記表示手段が横長表示位置にあると検知されると、前記記憶手段から前記第２のメニュー情報を読み出して表示するようにしたので、異なる表示位置を有する場合であっても、それぞれの表示位置での使用に適切なメニュー形態を提示することができるという利点が得られる。
【００１２】
また、請求項２記載の発明によれば、前記第１の筐体部が前記ヒンジ部を介して前記第２の筐体部に重なり合う方向に回動されることで、前記検知手段により、前記表示手段が横長表示位置にあると検知するようにしたので、異なる表示位置を有する場合であっても、それぞれの表示位置での使用に適切なメニュー形態を提示することができるという利点が得られる。
【００１３】
また、請求項３記載の発明によれば、前記第１のメニュー情報に、縦長表示位置で実行可能な機能に特化した複数の項目を含め、前記第２のメニュー情報に、横長表示位置で実行可能な機能に特化した複数の項目を含めるようにしたので、異なる表示位置を有する場合であっても、それぞれの表示位置における操作性を向上させることができ、また、それぞれの表示位置での使用に適切なメニュー形態を提示することができるという利点が得られる。
【００１４】
また、請求項４記載の発明によれば、前記表示手段が縦長表示位置である場合に実行可能な機能に特化した複数の項目を含む第１のメニュー情報と、前記表示手段が横長表示位置である場合に実行可能な機能に特化した複数の項目を含む第２のメニュー情報とを記憶しておき、前記第１の筐体部と前記第２の筐体部との相対的な位置関係に基づいて、前記表示手段が縦長表示位置にあるか横長表示位置にあるかを検知し、前記表示手段が縦長表示位置にあると検知されると、前記第１のメニュー情報を読み出して表示し、前記表示手段が横長表示位置にあると検知されると、前記第２のメニュー情報を読み出して表示するようにしたので、異なる表示位置を有する場合であっても、それぞれの表示位置における操作性を向上させることができ、また、それぞれの表示位置での使用に適切なメニュー形態を提示することができるという利点が得られる。
【００１５】
また、請求項５記載の発明によれば、前記第１の筐体部と前記第２の筐体部との相対的な位置関係に基づいて、前記表示手段が縦長表示位置にあるか横長表示位置にあるかを検知するステップと、前記表示手段が縦長表示位置にあると検知されると、前記表示手段が縦長表示位置である場合に実行可能な機能に特化した複数の項目を含む第１のメニュー情報を読み出して表示するステップと、前記表示手段が横長表示位置にあると検知されると、前記表示手段が横長表示位置である場合に実行可能な機能に特化した複数の項目を含む第２のメニュー情報を読み出して表示するステップとをコンピュータに実行させるようにしたので、異なる表示位置を有する場合であっても、それぞれの表示位置における操作性を向上させることができ、また、それぞれの表示位置での使用に適切なメニュー形態を提示することができるという利点が得られる。
【発明を実施するための最良の形態】
【００１６】
以下、本発明の実施の形態を、図面を参照して説明する。
【００１７】
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００１８】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００１９】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２０】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００２１】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００２２】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００２３】
次に、図３は、本実施形態による携帯電話１を使用する場合の利用形態を示す模式図である。本実施形態による携帯電話１は、図３（ａ）に示すように、蓋部２を開いて、表示部６を縦長表示位置とした状態で使用する通常モードと、該状態から蓋部２を、第２ヒンジ部１２を介して回転軸βで１８０°回転させ、さらに、図３（ｂ）に示すように、蓋部２を第１ヒンジ部１０１の可動部１０１を介して回転軸αで回転させて折り畳んで図３（ｃ）に示す状態とし、その後、携帯電話１を図３（ｃ）に示す矢印方向に回転させて、図３（ｄ）に示すように、表示部６を横長表示位置とした状態で使用するビューワモードとを備えている。したがって、通常モードでは、表示部６を縦長の画面としてメニューなどを表示する必要があり、ビューワモードでは、表示部６を横長の画面としてメニューなどを表示する必要がある。
【００２４】
図４は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２５】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００２６】
なお、内蔵アンテナ１６とメインアンテナ１１は、蓋部２を回動させた状態であっても、閉じた状態であっても、スペースダイバーシチ受信を行うのに有効な位置関係にある。
【００２７】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、および、映像の再生処理に関しては後述の第２制御部２２で行う。
【００２８】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００２９】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００３０】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００３１】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチ３１は、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音を発生する。
【００３２】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００３３】
プログラムＲＯＭ２３は、ムービー再生モード、カメラモード等の各処理プログラムを格納する。ＲＡＭ２４は、データ通信処理や、音声通信において必要とされる各種データを記憶する。本実施形態では、特に、図５に示すように、通常モード用のアイコンデータ２４１や、ビューワモード用のアイコンデータ２４２を記憶する。ここで、通常モード用のアイコンデータ２４１とは、前述したように、携帯電話を図３（ａ）に示すように、縦長表示位置で用いる場合にメニュー画面に表示するデータであり、ビューワモード用のアイコンデータ２４２とは、図３（ｄ）に示すように横長表示位置で用いる場合にメニュー画面に表示するデータである。また、アイコンデータとしては、ＰＮＧやＪＰＥＧ等の静止画、およびＦｌａｓｈデータを想定している。
【００３４】
次に、圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００３５】
報知ドライバ２６は、着信処理を検出した際、これを報知せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。
【００３６】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００３７】
クレイドル用コネクタ３２は、クレイドル、すなわち充電台を兼ねた設置台に設置した際に、設置台からの電力で図示しないバッテリを充電するためのものであり、コネクタインターフェース３１を介してバスに接続されている。メモリカードスロット３３０（３３）には、ＳＤカードなどの記録媒体３３１が装着される。また、センサ４０は、第１ヒンジ部１００、第２ヒンジ部１２に埋め込まれており、第１ヒンジ部１００での回転、および第２ヒンジ部１２での回転を検出することにより、携帯電話１が図３（ａ）に示す縦長表示位置と、図３（ｄ）に示す横長表示位置との状態変位を検知する。表示ドライバ６１は、表示バッファ６２に一時的に格納される表示データを表示部６に表示制御する。
【００３８】
Ｂ．実施形態の動作
次に、上述した実施形態の動作について説明する。ここで、図６は、本実施形態による携帯電話１の動作を説明するためのフローチャートである。また、図７は、携帯電話を縦位置で用いる通常モードでの表示部の表示例を示す模式図である。また、図８は、携帯電話を横位置で用いるビューワモードでの表示部の表示例を示す模式図である。
【００３９】
携帯電話１では、まず、蓋部２が開けられると、ＲＡＭ２４から通常モード用のアイコンデータ２４１を読み出し（ステップＳ１０）、図７に示すように、通常モード状態で、縦長表示位置の表示部２５にメニュー画面を表示する（ステップＳ１２）。次に、センサ４０が作動したか否かを判断し（ステップＳ１４）、センサ４０が作動していなければ、通常モード状態を維持する。該通常モード状態では、十字キー８１の操作によりカーソルを４方向に移動させ、決定キー８２の操作により選択項目を決定する。
【００４０】
一方、センサ４０が作動すると、携帯電話１が図３（ｄ）に示すビューワモードになったと判断し、ＲＡＭ２４からビューワモード用のアイコンデータ２４２を読み出し（ステップＳ１６）、図８に示すように、ビューワモード状態で、横位置の表示部２５にメニュー画面を表示する（ステップＳ１８）。次に、センサ４０が作動したか否かを判断し（ステップＳ２０）、センサ４０が作動していなければ、ビューワモード状態を維持する。該ビューワモード状態では、図３（ｄ）に示すように、第１のサイドキー９０、第２のサイドキー９１の操作によりカーソルを上下移動させ、シャッターキー９２の操作により選択項目を決定する。
【００４１】
一方、ビューワモード状態で、センサ４０が作動すると、携帯電話１が図３（ａ）に示す通常モードになったと判断し、再び、通常モード状態へ移行する。
【００４２】
上述した実施形態によれば、表示部を縦位置で用いる通常モード、表示部を横位置で用いるビューワモードのいずれの場合であっても、操作性を損なうことなく、それぞれのモードに最適なメニュー表示を行うことができる。また、ビューワモードでは、本体部のキー入力部が利用できず、また、データを見たり、聞いたりすることが中心となるため、これらに特化した機能をメニューアイコンに設定することで、より操作性を向上させることができる。
【００４３】
なお、上述した実施形態においては、携帯電話に適用した場合について説明したが、これに限定されず、２軸ヒンジ機構を有するスライド端末や異なる表示スタイルを有する携帯情報端末に適用してもよい。
【図面の簡単な説明】
【００４４】
【図１】本発明の実施形態に係る携帯電話１の蓋を開いた状態と閉じた状態の正面図に相当する外観図である。
【図２】蓋を閉じた状態における携帯電話１の正面、および各側面を示す外観図である。
【図３】本実施形態による携帯電話１を使用する場合の利用形態を示す模式図である。
【図４】携帯電話１の回路構成を示すブロック図である。
【図５】ＲＡＭ２４に記憶されている、通常モード用のアイコンデータ２４１およびビューワモード用のアイコンデータ２４２の格納状態を示す概念図である。
【図６】本実施形態による携帯電話１の動作を説明するためのフローチャートである。
【図７】携帯電話を縦位置で用いる通常モードでの表示部の表示例を示す模式図である。
【図８】携帯電話を横位置で用いるビューワモードでの表示部の表示例を示す模式図である。
【符号の説明】
【００４５】
１  携帯電話（電子機器）
２  蓋部（第１の筐体部）
３  本体部（第２の筐体部）
５  第１スピーカ
６  表示部（表示手段）
７Ｒ  第２スピーカ
７Ｌ  第３スピーカ
８  キー入力部（キー入力手段）
１０  マイク
１１  メインアンテナ
１２  第２ヒンジ部（ヒンジ部）
１３  報知用ＬＥＤ
１６  内蔵アンテナ
１７  撮像レンズ
１８  受信信号処理部
１９  通信信号処理部
２０  第１制御部
３１  スイッチ
２２  第２制御部（表示制御手段）
２３  プログラムＲＯＭ
２４  ＲＡＭ（記憶手段）
２７  スイッチ処理部
４０  センサ（検知手段）
６１  表示ドライバ（表示制御手段）
６２  表示バッファ
９０  第１サイドキー
９１  第２サイドキー
９２  シャッターキー
１００  第１ヒンジ部（ヒンジ部）
２０１  スイッチ回路
２０２  通信データ処理部
２０３  システムＲＯＭ
２０５  音声処理部
２０６  スイッチ回路
２０７  オーデイオアンプ
３３０  メモリカードスロット
３３１  カード媒体
２４１  通常モード用アイコンデータ（第１のメニュー情報）
２４２  ビューワモード用アイコンデータ（第２のメニュー情報）
【図１】
2006080878.tif 000003
【図２】
2006080878.tif 000004
【図３】
2006080878.tif 000005
【図４】
2006080878.tif 000006
【図５】
2006080878.tif 000007
【図６】
2006080878.tif 000008
【図７】
2006080878.tif 000009
【図８】
2006080878.tif 000010